(57)【要約】      （修正有）【課題】パネルを摺動させて自由に取り付けたり取り外したりすることができるスライド組み立て式パネルを提供する。【解決手段】上面１１と、底面１２と、該上面１１の内面と該底面１２の内面とを連接する少なくとも１つの側面１３を有するスライド組み立て式パネル１０であって、少なくとも１つの該側面１３に、側面１３の垂直方向に延出した少なくとも１つの凸部１４、及び、該凸部１４の形状に対応する少なくとも１つの凹部１５が設けられ、該凸部１４側の側面１３と上面１１、及び、該凸部１４側の側面１３と底面１２とが接する箇所にそれぞれ係合溝１６が凹設され、該凹部１５側の側面１３と上面１１、及び、該凹部１５側の側面１３と底面１２とが接する箇所にそれぞれ係合リブ１７が凸設され、該係合リブ１７は、該係合溝１６の形状に対応する。【選択図】図１
0003207647.tif 000002
【実用新案登録請求の範囲】
【請求項１】
上面と、底面と、該上面の内面と該底面の内面とを連接する少なくとも１つの側面を有するスライド組み立て式パネルであって、
少なくとも１つの該側面に、側面の垂直方向に延出した少なくとも１つの凸部、及び、該凸部の形状に対応する少なくとも１つの凹部が設けられ、
該凸部側の側面と上面、及び、該凸部側の側面と底面とが接する箇所にそれぞれ係合溝が凹設され、
該凹部側の側面と上面、及び、該凹部側の側面と底面とが接する箇所にそれぞれ係合リブが凸設され、該係合リブは、該係合溝の形状に対応することを特徴とするスライド組み立て式パネル。
【請求項２】
前記凸部の表面に複数の溝部が係合溝に平行となるように形成され、前記凹部の表面に複数の溝部が係合リブに平行となるように形成されることを特徴とする請求項１に記載のスライド組み立て式パネル。
【請求項３】
長矩形を呈し、４つの側面を有することを特徴とする請求項１または２に記載のスライド組み立て式パネル。
【請求項４】
前記スライド組み立て式パネルにおける、相対する２つの側面のうち、一側の側面に凸部が設けられ、他側の側面に凹部が形成されることを特徴とする請求項３に記載のスライド組み立て式パネル。
【請求項５】
アルミニウムまたは錫の金属パネルまたは合金パネルであることを特徴とする請求項１〜４のいずれかに記載のスライド組み立て式パネル。
【考案の詳細な説明】
【技術分野】
【０００１】
本考案は、特にパネルを摺動させて自由に取り付けたり取り外したりすることができるスライド組み立て式パネルに関するものである。
【背景技術】
【０００２】
既存の床や天井、棚、間仕切り壁などに使うパネルは、釘やボルト、化学粘着剤などを用いて簡単に組み立てられるので、使用上非常に便利である。
【考案の概要】
【考案が解決しようとする課題】
【０００３】
しかしながら、パネルに釘を打ち込んで組み立てる場合、パネルの表面に釘が残ることから、美観に劣るという欠点を有する。また、多くのパネルを組み立てた後に、パネルの位置を移動させたり、引っ越しを行う場合には、それらのパネルを取り外して再び組み立てる必要があることから、組立てに手間や時間がかかると共に、何度も繰り返しパネルを分解したり組み立てたりすると、パネルの構造が弱くなって破損しやすくなり、倒れたり崩れたりする恐れがある。
【０００４】
また、パネルをボルトにより組み立てる場合には、パネルは破損し難いが、取り外したり取り付けたりする時に、ボルトがなくなりやすく、規格が同一でないときには、パネルを組み立てることができなくなるので、非常に不便である。
【０００５】
さらに、パネルを化学粘着剤により組み立てる場合は、化学粘着剤を乾燥させる時間が必要であると共に、パネルの固定効果もそれほどよくなく、長時間使用すると、化学粘着剤の劣化により脱落してパネルが分解する恐れがある。これらの問題を有することから、既存の組み立て式パネルは改良する必要があった。
【課題を解決するための手段】
【０００６】
本考案に係るスライド組み立て式パネルは、上面と、底面と、該上面の内面と該底面の内面とを連接する少なくとも１つの側面を有するパネルであって、そのうち、該少なくとも１つの側面に、その形状に対応する少なくとも１つの凸部及び少なくとも１つの凹部が設けられ、該凸部は、側面と反対する方向に延出し、該凸部側の側面と上面及び底面とが接する箇所にそれぞれ係合溝が凹設され、また、該凹部は側面の内部に凹設され、該凹部側の側面と上面及び底面とが接する箇所にそれぞれ係合リブが凸設され、該係合リブは、該係合溝の形状に対応するものである。
【０００７】
かかるスライド組み立て式パネルにおいて、前記凸部の表面に複数の溝部が係合溝に平行となるように形成され、前記凹部の表面に複数の溝部が係合リブに平行となるように形成されることが好ましい。
【０００８】
かかるスライド組み立て式パネルにおいて、前記パネルは、長矩形を呈し、４つの側面を有することが好ましい。
【０００９】
かかるスライド組み立て式パネルにおいて、前記パネルにおける、相対する２つの側面のうち、その一側の側面に凸部が設けられ、他側の側面に凹部が形成されることが好ましい。
【００１０】
かかるスライド組み立て式パネルにおいて、前記パネルが、アルミニウムまたは錫の金属パネルまたは合金パネルであることが好ましい。
【考案の効果】
【００１１】
前記の構成によれば、本考案のスライド組み立て式パネルは、釘やボルトなどの部品を用いずに組み立てることができ、また、何度も組み立てたり取り外したりしてもパネルが破損することはないので、非常に丈夫であり、優れた耐久性を具備している。
【００１２】
また、本考案のスライド組み立て式パネルは、凸部及び該凸部の形状に対応する凹部を有すると共に、該凸部側の側面と上面、及び、該凸部側の側面と底面とが接する箇所にそれぞれ係合溝が凹設され、該凸部側の側面と上面、及び、該凸部側の側面と底面とが接する箇所にそれぞれ係合リブが凸設され、該係合リブは、係合溝の形状に対応することから、隣り合う２枚のパネルを組み合わせる時に、一方のパネルの係合リブが他方のパネルの係合溝において摺動して係合することによって、それらのパネルを簡単且つ確実に組み合わせることができ、且つこの組立構造によれば、パネルが容易に脱落することはなく、その上、隣り合う２枚のパネルを簡単且つ素早く取り外すこともできる。
【００１３】
さらに、該凸部及び凹部が溝部を有する場合、その溝部に粘着剤を塗布したとき、一方のパネルの凸部を他方のパネルの凹部において摺動させながら組み合わせても粘着剤が外部に押し出されることはないと共に、粘着剤は溝部に付着することから、それらのパネルを確実に粘着固定することができるので、多くのパネルを一枚ずつ組み立てて連結することにより、丈夫で且つ耐久性を備えた製品を提供することができる。
【００１４】
本考案に係るスライド組み立て式パネルは、対応する形状を有し、互いに組み合わせることができる凸部及び凹部を有するので、パネルは如何なる形状であってもよく、複数のパネルを一枚ずつ摺動させて組み合わせれば、必要に応じて広い面積を確保できるので、床や天井、間仕切り壁などに用いることができる。
【００１５】
本考案に係るスライド組み立て式パネルは、アルミニウムや錫の金属パネル、または合金パネルなどの軽量な特性を有することから、多くのパネルを組み合わせても重くならず、且つ使用者が日曜大工などにより組み立てて楽しむこともできる。
【図面の簡単な説明】
【００１６】
【図１】本考案に係るスライド組み立て式パネルの斜視図である。
【図２】本考案に係るスライド組み立て式パネルの側面図である。
【図３】本考案に係るスライド組み立て式パネルにおいて、多くのパネルを組み立てた状態を示す斜視図である。
【図４】本考案に係るスライド組み立て式パネルの他の実施例の側面図である。
【考案を実施するための形態】
【００１７】
図１及び図２に示すように、本考案に係るスライド組み立て式パネルの一実施例は、長矩形のパネル１０であり、該各パネル１０は、上面１１と、底面１２と、該上面１１の周縁と底面１２の周縁とを連接する２つの側面１３を有する。尚、該パネル１０には、アルミニウムや錫など軽量の金属または合金を用いてもよい。
【００１８】
相対する２つの側面１３のうち、一側の側面１３に凸部１４が設けられると共に、他側の側面１３に凹部１５が設けられ、該凸部１４は、側面１３の垂直方向に延出し、該凹部１５は、凸部１４の形状に対応するように、側面１３に凹設される。この構造によれば、一方のパネル１０の凸部１４を他方のパネル１０の凹部１５においてスライドさせながら組み合わせるだけでよい。
【００１９】
また、前記凸部１４側の側面１３と上面１１とが接する箇所に係合溝１６が凹設され、前記凸部１４側の側面１３と底面１２とが接する箇所にも係合溝１６が凹設され、それらの係合溝１６は、パネル１０の長手方向に沿って延設される。
更に、前記凹部１５側の側面１３と上面１１とが接する箇所に、係合溝１６の形状と対応する係合リブ１７が凸設され、前記凹部１５側の側面１３と底面１２とが接する箇所にも係合リブ１７が凸設され、それらの係合リブ１７は、パネル１０の長手方向に沿って延設され、且つ互いに向かうように凸設される。
この構造によれば、図２に示すように、一方のパネル１０の係合リブ１７は、パネル１０の長手方向に沿って他方のパネル１０の係合溝１６において摺動しながら係合することから、隣り合う２枚のパネル１０を確実に組み合わせることができるので、両者が外れることは殆どない。
【００２０】
本考案に係るスライド組み立て式パネルは、図３に示すように、複数のパネル１０が一枚ずつ摺動しながら組み合わせられ、必要に応じて広い面積を確保できるので、床や天井、間仕切り壁などに用いることができる。
【００２１】
本考案に係るスライド組み立て式パネルの他の実施例は、図４に示すように、殆ど前記実施例と同一であるが、以下の点において異なる。
パネル１０における、凸部１４の表面に複数の溝部１４１が係合溝１６に平行となるように形成され、凹部１５の表面に複数の溝部１５１が係合リブ１７に平行となるように形成される。
それによれば、隣り合う２枚のパネル１０を組み合わせる時、まず一方のパネル１０の凸部１４の溝部１４１に粘着剤を塗布すると共に、他方のパネル１０の凹部１５の溝部１５１に粘着剤を塗布し、そして、一方のパネル１０の凸部１４を、他方のパネル１０の凹部１５において摺動させながら組み合わせる。この時、粘着剤は、凸部１４の溝部１４１及び凹部１５の溝部１５１に付着していることから、それらのパネル１０を互いに摺動させて組み合わせても粘着剤が外部に押し出されることはない。このように、隣り合う２枚のパネル１０は、粘着剤により確実に粘着固定されることから、多くのパネル１０を一枚ずつ組み合わせて連結しても、丈夫でかつ優れた耐久性を有する製品を提供することができる。
【００２２】
本考案に係るスライド組み立て式パネルは、上面と、底面と、４つの側面１３を備える長矩形であってもよく、上面と、底面と、１つの側面１３を備える円形であってもよく、上面と、底面と、３つの側面１３を備える三角形であってもよく、或いは上面と、底面と、６つの側面１３を備える六辺形であってもよい。つまり、パネル１０の相対する側面のうち、一側に凸部１４が、他側に凹部１５が設けられ、該凸部１４が凹部１５に対応して組み合わされる構成であれば、パネル１０は如何なる形状であってもよい。
また、パネル１０における、凸部１４側の側面１３と上面１１及び凸部１４側の側面１３と底面１２とが接する箇所にそれぞれ係合溝１６、凹部１５側の側面１３と上面１１及び凹部１５側の側面１３と底面１２とが接する箇所にそれぞれ係合リブ１７が設けられ、該係合リブ１７が係合溝１６において摺動しながら係合できる構造であれば、パネル１０を如何なるタイプとしても本考案の技術範囲となる。
【００２３】
本考案に係るスライド組み立て式パネルによれば、一方のパネル１０は、凸部１４及び係合溝１６が他方のパネル１０の凹部１５及び係合リブ１７に対応するので、隣り合う２枚のパネル１０を摺動させながら組み合わせることができる。また、その凸部１４の溝部１４１及び凹部１５の溝部１５１に粘着剤が塗布されることによって、隣り合う２枚のパネル１０を摺動させながら組み合わせれば、そのパネル１０を確実に粘着させて固定することができるので、多くのパネル１０を一枚ずつ組み合わせて連結すれば、丈夫に且つ優れた耐久性を備えた製品を提供することができる。
【符号の説明】
【００２４】
１０         パネル
１１         上面
１２         底面
１３         側面
１４         凸部
１４１       溝部
１５         凹部
１５１       溝部
１６         係合溝
１７         係合リブ
【図１】
0003207647.tif 000003
【図２】
0003207647.tif 000004
【図３】
0003207647.tif 000005
【図４】
0003207647.tif 000006